(57)【要約】【課題】本発明は、利便性およびデザイン性に優れた組み込み型玄関収納を提供することにある。【解決手段】建物内（ユニット住宅Ｔ）の壁５に設けられている複数の収納部４ａ，４ｂが互いに隣接配置された玄関収納１であって、収納部４ａ，４ｂは上に開く第１の蓋板２と、下に開く第２の蓋板３の何れかを備え、第２の蓋板３が第１の蓋板２よりも近い位置に配置され、複数の収納部４ａ，４ｂは上段側と下段側に分けられており、上段側に第１の蓋板２が設けられ、下段側に第２の蓋板３が設けられ、第１の蓋板２および第２の蓋板３は、横方向に長い１枚の板で形成され、その１枚の板を縦方向に複数切断して形成されている。【選択図】　　　図１
2004100296.tif 000002
【特許請求の範囲】
【請求項１】
建物内の壁に設けられている複数の収納部が互いに隣接配置された玄関収納であって、前記収納部は上に開く第１の蓋板と、下に開く第２の蓋板の何れかを備え、前記第２の蓋板が前記第１の蓋板よりも近い位置に配置されていることを特徴とする玄関収納。
【請求項２】
請求項１記載の玄関収納において、前記複数の収納部は上段側と下段側に分けられており、前記上段側に前記第１の蓋板が設けられ、前記下段側に前記第２の蓋板が設けられていることを特徴とする玄関収納。
【請求項３】
請求項１記載の玄関収納において、前記第１の蓋板および第２の蓋板は、それぞれが横方向に長い１枚の板で形成され、その１枚の板を縦方向に複数切断して形成されていることを特徴とする玄関収納。
【請求項４】
請求項１記載の玄関収納において、前記第１の蓋板および第２の蓋板はそれぞれ押し出し成形で形成され、横方向で隣り合う蓋板の木目が横目柄に揃っていることを特徴とする玄関収納。
【請求項５】
請求項１記載の玄関収納において、前記第１の蓋板と第２の蓋板は、隣接する壁面と同材質および同模様で形成されていることを特徴とする玄関収納。
【請求項６】
請求項１記載の玄関収納において、前記第２の蓋板のうち少なくとも１つが水平位置に位置決め可能に構成されていることを特徴とする玄関収納。
【請求項７】
請求項１記載の玄関収納において、前記複数の収納部内には、内部を仕切る仕切り板が設けられていることを特徴とする玄関収納。
【発明の詳細な説明】
【０００１】
【発明の属する技術分野】
本発明は、建物内に設けられた玄関収納に関し、特に利便性やデザイン性に優れた形態となる組み込み型玄関収納に関する。
【０００２】
【背景の技術】
従来、住宅の玄関には靴などを収納する玄関収納が設けられていることが一般的である。この玄関収納は、外観上、内部の収納物が見えないように開閉可能な戸が備えられている。また、利便性に配慮するため玄関ホールの壁面に配置されていることが多い。その種類としては、箱型ユニットにより形成され、後付けするタイプの後付け型（例えば、特許文献１参照。）と、壁厚等を利用し、内部を収納スペースとして形成した組み込み型が広く知られている（例えば、特許文献２参照）。
【０００３】
後付け型の利点としては、玄関収納を必要に応じて変更することができるため、家族構成が多く収納スペースを広くする必要がある場合は、高さが天井まである天袋型の玄関収納を設置することで、収納スペースの大きな玄関収納を設けることができる。組み込み型の利点としては、後付け型のような箱型ユニットではないため、突出部が存在せず玄関スペースを効率よく利用できる。
【０００４】
【特許文献１】
特開平９−２９６５９７
【特許文献２】
特開２００２−８５１７１
【０００５】
【発明が解決しようとする課題】
しかしながら、このような後付け型および組み込み型の玄関収納には、２つの問題点が挙げられる。第１の問題は、玄関収納の戸の開閉方式が一方向で形成されていると、収納場所によって靴等を出し入れするのが不便になり、利便性に問題があった。特に高い位置に収納された靴等は、収納されている靴等が見えにくくなる恐れもあった。
【０００６】
第２の問題として、住宅の顔、といわれる玄関は近年、特にデザイン性に配慮したつくりが求められており、住宅のデザインと効果的に調和する玄関収納を形成することが課題とされてきた。特に、玄関収納を必要以上に目立たせることなく、デザイン性にも優れた玄関収納を形成することは非常に困難とされてきた。従って、利便性とデザイン性を兼ね揃えた玄関収納を形成することが望ましい。
【０００７】
本発明は、利便性およびデザイン性に優れた組み込み型玄関収納を提供することにある。
【０００８】
【課題を解決するための手段】
本発明は、建物内の壁に設けられている複数の収納部が互いに隣接配置された玄関収納であって、収納部は上に開く第１の蓋板と、下に開く第２の蓋板の何れかを備え、第２の蓋板が第１の蓋板よりも近い位置に配置されている構造とした。
【０００９】
このような本発明によれば、利便性に優れた玄関収納を形成することができる。つまり、玄関収納には上に開閉可能な第１の蓋板と、下に開閉可能な第２の蓋板が設けられており、それぞれが独立した形態となっている。天井付近の高い位置に収納した靴等を出し入れする際は、上に開くことができ、低い位置では下に開くことが可能な構造となっているので、従来のような一方向の開閉方式で、高い位置に収納した靴等が見えないなどの問題点を解決することができ、利便性の高い優れた玄関収納を形成することができる。
【００１０】
また、この玄関収納は壁厚を利用した組み込み型玄関収納であるため、収納部が壁内に納められ、後付け型の玄関収納のように突出した形状にならないので、玄関スペースをより広く利用することができる。
【００１１】
前記複数の収納部は上段側と下段側に分けられており、上段側に第１の蓋板が設けられ、下段側に第２の蓋板が設けられていることが望ましい。このように配置した場合、玄関収納の開閉を容易にすることができる上、利便性に優れた構造とすることができる。つまり、上段側に配置された第１の蓋板は中心部よりも高い位置に設けられ、上向きに開閉する構造となっているので、靴等の収納物を容易に出し入れすることができる。また、下段側に配置された第２の蓋板は、下向きに開閉する構造となっているため、第１の蓋板と同様に靴等の収納物を容易に出し入れすることができる。
【００１２】
前記第１の蓋板および第２の蓋板は、それぞれが横方向に長い１枚の板で形成され、その１枚の板を縦方向に複数切断して形成されていることが望ましい。このように形成した場合、デザイン性の向上を図ることができる。つまり、玄関収納の表面部分となる第１の蓋板および第２の蓋板は、１枚の長い板で形成されているため、木目などの表面模様が自然な形態を保った状態で玄関収納を形成することが可能になる。
【００１３】
前記第１の蓋板および第２の蓋板はそれぞれ押し出し成形で形成され、横方向に隣り合う蓋板の木目が横目柄に揃っていることが望ましい。このように形成した場合、統一感と和の趣のある玄関収納を容易に形成することができる。つまり、第１の蓋板と第２の蓋板の木目柄を１枚の長い板で形成されているように押し出し成形で形成すると、自然の木材を使用した場合と同じような木目柄を容易に形成することができる。
【００１４】
前記第１の蓋板と第２の蓋板は、隣接する壁面と同材質および同模様で形成されていることが望ましい。このように形成した場合、玄関収納の美観に優れ、より統一感のあるデザインを形成することができる。つまり、玄関収納の表面部分である第１，２の蓋板とそれらに隣接した壁面は、同材質および同模様で形成されているため外観上からは見分けのつきにくい構造とすることが可能になり、壁面と玄関収納が統一されたデザインを形成することができる。
【００１５】
前記第２の蓋板のうち少なくとも１つが水平位置に位置決め可能に構成されていることが望ましい。このように構成した場合、利便性に優れた玄関収納を形成することができる。つまり、下向きに開く第２の蓋板は、開いた状態が水平位置になるため蓋板を開けた状態では簡易デスクとしての機能を有する。従って、玄関での押印等、簡単な作業を行うことができる構造となっている。
【００１６】
前記複数の収納部内の一部には、内部を仕切る仕切り板が設けられていることが望ましい。このように形成した場合、収納物の大きさや用途に応じて使い分けることができ、利便性に優れた玄関収納とすることができる。つまり、収納部内に収納する靴等などは、高さや大きさなど様々であることが多く、また靴等が増えていくに比例して収納部に納まりきらない恐れもあったが、仕切り板を設けることで、より多くの収納物を収納することが可能となり、用途に応じて使い分けることができる利便性に優れた玄関収納となる。
【００１７】
【発明の実施の形態】
以下、本発明の実施の形態について、図面を参照して説明する。
図１は本発明に係る玄関収納の斜視図である。
この実施の形態では、本発明を２階建てユニット住宅に適用した例を示す。
また、ユニット住宅は全体として符号Ｔで示す。
【００１８】
図１は、ユニット住宅Ｔ（後述）の玄関ホール６に配置された玄関収納１を示している。玄関収納１は、幅が約２．２ｍ、高さが約２．４ｍ、奥行きが約０．３５ｍの組み込み型玄関収納で、壁５の厚みを利用して形成され、内部に収納スペース４ａ，４ｂを備えた木質性の玄関収納である。この玄関収納１の素材はＭ−ＷＯＯＤ２を使用している。Ｍ−ＷＯＯＤ２とは住宅の建築現場や工場から排出される建築廃材のうち木材を主材料として、その他合板、断熱材、石膏ボード、防水シート、電線被覆材などの部材をミクロン状にパウダー化し、そこにプラスチック廃材をリサイクルして配合・成形するもので、廃棄物削減と森林保護に配慮した木素材である。
【００１９】
具体的な製造工程は、原料である廃木材は粉体化し、廃プラスチックは粉砕化する。次に木材と樹脂を混ぜ合わせコンパウンド（成形材料）を作り、そのコンパウンドを押出成形機等の成形機に投入し、各用途に応じた形に成形する。このようにすることで、木の風合いは残したまま、優れた耐久性・耐水性・加工性・均一性など、天然の木材にはない特性を容易に実現することができる。図１に示すように、収納スペース４ａ，４ｂの内部は、縦６段、横３列の合計１８個の独立したスペースが形成され、それらの表面に上蓋２および下蓋３が備えられている。
【００２０】
上２段は、上側に開くことができる上蓋２が設けられ、下４段は下側に開くことができる下蓋３が設けられている。上蓋２および下蓋３は、それぞれ接続具７によって収納スペース４ａ，４ｂと固定されている。従って、天井付近の高い位置に収納した（上二段）靴等を出し入れする際は、上に開くことができ、低い位置（下四段）では下に開くことが可能な構造となっているため、利便性に優れた構造となっている。すなわち、上側のみ、または下側のみ等の一方向の開閉方式では高い位置に収納した靴等が見えにくいなどの問題点を解決することができる。
【００２１】
また、玄関収納１は壁厚を利用した組み込み型であるため、後付け型の玄関収納のように突出した形状にならないので、玄関ホール６をより広く利用することができる。この玄関収納１に設けられている下蓋３は、水平位置に位置決め可能なため、図１のように下側に開けた状態にすると簡易デスクとしても利用できる。例えば、玄関ホール６での押印やサイン等、来客時の簡単な作業を行うことができるように工夫されている。
【００２２】
収納スペース４ａには、内部を仕切る仕切り板８が設けられている。この仕切り板８を中心に上下に革靴やスニーカー等の比較的高さの低い靴をそれぞれ収納することができる。従って、靴等の収納物の大きさや用途に応じて分けることができ、利便性に優れた玄関収納１となっている。つまり、家族構成の変化により靴等が増えていくと、収納スペース４ａ，４ｂに納まりきらないこともあるが、仕切り板８を設けることで、より多くの収納物を収納することが可能となる。また、仕切り板８が備えられていない収納スペース４ｂには、ブーツなどの高い靴等を収納可能な構造となっている。
【００２３】
図２に玄関収納１の上蓋２および下蓋３を閉じた形態を示す。上蓋２および下蓋３は、予め工場等で木目が横目柄に揃うように押し出し成形に加工し、それらを縦方向に２箇所切断して配置されている（切断部Ｓ１，Ｓ２）。従って、外観上、１枚の長い板で玄関収納１が形成されているようになり、自然の木材を使用した場合と同じような木目柄を容易に形成することが可能となる。さらに、玄関収納１が横目柄に一体的に統一されることで、和の趣のある玄関収納を容易に形成することができる。
【００２４】
この実施形態では、押し出し成形により加工した木材を使用しているが、自然の木材を使用することもできる。このようにした場合は、１枚の長い板を縦方向に２箇所切断して配置することにより、木目などの表面模様が自然な形態を保った状態で玄関収納を形成することができる。
【００２５】
また、玄関収納１とそれに隣接している壁５は、上述したＭ−ＷＯＯＤ２により形成され、それぞれ木目が横目柄に揃っている。従って、玄関収納１と壁５は、統一感と美観形成に優れたデザインを形成することができる。玄関収納１の上蓋２および下蓋３を図２のように閉じれば、外観上からは見分けのつきにくい、いわゆる目隠ししたような形態とすることができる。この玄関収納１の天井部には、人感知センサーにより動作する間接照明９が設けられており、靴等を出し入れする際の利便性が高められている。さらに、乾燥および脱臭機能を備えているので、靴の保存に好適な形態となっている。
【００２６】
図３，４にユニット住宅Ｔの構造を示す。図３は、ユニット住宅Ｔの１階平面間取り図を示し、図４はユニット住宅Ｔの２階の平面間取り図を示している。これらの図において、ユニット住宅Ｔは南側から見て間口６間、奥行き５間半のほぼ正方形の住宅で、１階および２階に上下２段に積層した住宅ユニット１０と、各住宅ユニット１０の間を居室空間として形成された住宅である。屋根の形状は三角形の勾配屋根となっている。
【００２７】
１階西側には、自動玄関扉１１とダミー玄関扉１２が設けられ、ダミー玄関扉１２は本物の玄関（自動玄関扉１１）のすぐ隣に配置しているため、防犯上効果に優れている。自動玄関扉１２から室内に入った玄関ホール６の左側には、前述した玄関収納１が設けられている。
【００２８】
正面には、引き戸１３とそれに隣接して隠しクローゼット１４が配置されており、引き戸１３は、隠しクローゼット１４の内部に引き込むことが可能になっている。隠しクローゼット１４は、緩勾配階段１５の階段下空間を利用しており、付近の壁面と同様の表面仕上げ材で形成されている。
【００２９】
南側の窓の外側にはインナーテラス１６と、それに隣接して池１７が設けられ、自然を楽しむことができるスペースとなっている。１階中央部に、リビングダイニングＬと、その上部に間接照明を備えた折上げ天井Ｗが形成されており、天井の高い広々とした快適ルームが形成されている。北側の窓の外側には、カーポートスペース１８とルーバーフェンス１９が設けられ、東側にシステムキッチンＫと可動キッチン２０が設けられている。
【００３０】
システムキッチンＫの南側には、トイレ２１とＴＶ収納２２が設けられ、それらの先には、３畳のプライベートスペース２３が配置されている。このプライベートスペース２３は、室内にカンヌキがあるため、非常時における避難場所としても利用することができる。また、１階床は全てフラット床で形成され、バリアフリーに十分配慮されている。このユニット住宅Ｔは、人感知センサーにより全ての照明が操作される構造となっているため、照明スイッチは備えられていない。さらに、自動玄関扉１１周辺を映し出す防犯カメラや人感知センサーを備え、インターホンには携帯電話等の携帯端末を使用し、住人の区別を行うため、防犯に十分に配慮された住宅となっている。
【００３１】
緩勾配階段１５を上がった２階南側には、子供部屋２４とインナーバルコニー２５が設けられている。子供部屋２４の一部の天井は吹き抜け勾配天井Ｅとなっており、梯子（図示しない）または非常用の昇降棒２６等で小屋裏（図示しない）との往来が可能になっている。
【００３２】
２階東側には、ユニットバス２７，洗面所２８，トイレ２９等の水廻り設備が整っている。トイレ２９の奥には、家事コーナー３０や大容量収納棚３１が設けられ、２階で簡単な調理等を行うことができ、利便性に優れている。子供部屋２４の北側には仏壇スペース３２が配置されている。この仏壇スペース３２には仏像等を配置することができ、天窓（図示しない）からの光が射し込まれる形態となっている。
【００３３】
さらに北側には、主寝室３３が設けられ、主寝室３３の天井は、吹き抜け天井Ｆとなっている。この吹き抜け天井Ｆの斜め上方には、天窓（図示しない）が配置されており、そこから経由した光が主寝室３３内に射し込まれるようになっている。また、北側の壁には壁面スクリーン３４が設けられ、壁全体がスクリーンとなって映画等を楽しむことができる。
【００３４】
主寝室３３の西側には、システムクローゼット３５が配置されている。システムクローゼット３５は、内部で不自由なく着替え等を行えるウォーキング式クローゼットで、使い勝手に十分配慮されている。
【００３５】
【発明の効果】
以上のように、本発明によれば、利便性およびデザイン性に優れた組み込み型玄関収納を形成することができる。
【図面の簡単な説明】
【図１】本発明の実施形態に係る玄関収納の構造（開状態）を示す斜視図である。
【図２】本発明の実施形態に係る玄関収納の構造（閉状態）を示す斜視図である。
【図３】本発明の実施形態に係るユニット住宅の１階の平面間取図である。
【図４】本発明の実施形態に係るユニット住宅の２階の平面間取図である。
【符号の説明】
１　　　　　玄関収納
２　　　　　上蓋
３　　　　　下蓋
４ａ，４ｂ　収納スペース
５　　　　　壁
６　　　　　玄関ホール
７　　　　　接続具
８　　　　　仕切り板
９　　　　　間接照明
１０　　　　住宅ユニット
１１　　　　自動玄関扉
１２　　　　ダミー玄関扉
１３　　　　引き戸
１４　　　　隠しクローゼット
１５　　　　緩勾配階段
１６　　　　インナーテラス
１７　　　　池
１８　　　　オーバーハングカーポート
１９　　　　ルーバーフェンス
２０　　　　可動キッチン
２１，２９　トイレ
２２　　　　ＴＶ収納
２３　　　　プライベートスペース
２４　　　　子供部屋
２５　　　　インナーバルコニー
２６　　　　昇降棒
２７　　　　ユニットバス
２８　　　　洗面所
３０　　　　家事コーナー
３１　　　　大容量収納棚
３２　　　　仏壇スペース
３３　　　　主寝室
３４　　　　壁面スクリーン
３５　　　　システムクローゼット
Ｅ　　　　　吹き抜け勾配天井
Ｆ　　　　　吹き抜け天井
Ｋ　　　　　システムキッチン
Ｌ　　　　　リビングダイニング
Ｓ１，Ｓ２　切断部
Ｔ　　　　　ユニット住宅
Ｗ　　　　　折上げ天井
【図１】
2004100296.tif 000003
【図２】
2004100296.tif 000004
【図３】
2004100296.tif 000005
【図４】
2004100296.tif 000006